(57)【要約】【課題】接触に際して高い信頼性を確保すること。【解決手段】基部１１から第１の方向Ａへ延び仮想基準面Ｆを交差する第２の方向Ｂ及び第３の方向Ｃへ変位可能な第１及び第１のバネ部２１，３１とを有し、前記第１のバネ部２１は、前記基部１１から前記第２の方向Ｂで前記仮想基準面Ｆの第１の領域Ｆ１へ曲げられている第１の連結部２３と、前記第３の方向Ｃで前記仮想基準面Ｆの第２の領域Ｆ２へ曲げられている第１の接触部２５とを有し、前記第２のバネ部３１は、前記基部１１から前記第３の方向Ｃで前記第２の領域Ｆ２へ曲げられている第２の連結部３３と、前記第１の領域Ｆ１へ曲げられている第２の接触部３５とを有する。【選択図】      図１
2005005013.tif 000002
【特許請求の範囲】
【請求項１】
基部と、該基部から第１の方向で仮想基準面に沿って延びかつ該仮想基準面を基準として該仮想基準面を交差する第２の方向及び該第２の方向とは逆な向きである第３の方向へ変位可能な第１のバネ部と、前記仮想基準面を基準として前記第１の方向を直交しかつ前記仮想基準面に対して平行な第４の方向で、前記第１のバネ部に隣り合って前記基部から前記第１の方向で仮想基準面に沿って延びかつ前記第２の方向及び前記第３の方向へ変位可能な第２のバネ部とを含む導電性のコンタクトにおいて、
前記第１のバネ部は、前記仮想基準面に対して前記基部から前記第２の方向で前記仮想基準面の一面上の第１の領域へ突出する形態に曲げられている第１の連結部と、該第１の連結部に連接し前記仮想基準面に対して前記第３の方向で前記仮想基準面のもう一方の一面上の第２の領域へ突出する形態に曲げられている第１の接触部とを有し、
前記第２のバネ部は、前記仮想基準面に対して前記基部から前記第３の方向で前記第２の領域へ突出する形態に曲げられている第２の連結部と、該第２の連結部に連接し前記第１の領域へ突出する形態に曲げられている第２の接触部とを有していることを特徴とするコンタクト。
【請求項２】
請求項１記載のコンタクトにおいて、前記第１の接触部の自由端が前記第１の領域へ延びており、前記第２の接触部の自由端が第２の領域へ延びており、前記第１の接触部の曲げ部分の頂部の外面が前記第１の接触部と同じ形状をもつ相手コンタクトの第１の接触部により前記第２の方向で押圧されて接触する第１の接点部となっており、前記第２の接触部の曲げ部分の頂部の外面が前記コンタクトの前記第２の接触部と同じ形状をもつ前記相手コンタクトの第２の接触部により前記第３の方向で押圧されて接触する第２の接点部となっていることを特徴とするコンタクト。
【請求項３】
請求項２に記載のコンタクトにおいて、前記コンタクトの前記第１の接触部の自由端及び前記第１の接点部間の部分が前記相手コンタクトの前記第１の接触部を前記コンタクトの前記第１の接点部へ誘う第１の誘い部となっており、前記コンタクトの前記第２の接触部の自由端及び前記第２の接点部間の部分が前記相手コンタクトの前記第２の接触部を前記第１の接点部へ誘う第２の誘い部となっていることを特徴とするコンタクト。
【請求項４】
コネクタと相手コネクタとを相対的に嵌合することによって相互に接続するコネクタ装置であって、前記コネクタは、導電性のコンタクトと、該コンタクトを保持したインシュレータとを有し、
前記コンタクトは、基部と、該基部から第１の方向で仮想基準面に沿って延びかつ該仮想基準面を基準として該仮想基準面を交差する第２の方向及び該第２の方向とは逆な向きである第３の方向へ変位可能な第１のバネ部と、前記仮想基準面を基準として前記第１の方向を直交しかつ前記仮想基準面に対して平行な第４の方向で、前記第１のバネ部に隣り合って前記基部から前記第１の方向で仮想基準面に沿って延びかつ前記第２の方向及び前記第３の方向へ変位可能な第２のバネ部と含むコネクタ装置において、
前記相手コネクタは、前記コンタクトと同じ形状である相手コンタクトと、該相手コンタクトを保持した相手インシュレータとを有し、
前記第１のバネ部は、前記仮想基準面に対して前記基部から前記第２の方向で前記仮想基準面の一面上の第１の領域へ突出する形態に曲げられている第１の連結部と、該第１の連結部に連接し前記仮想基準面に対して前記第３の方向で前記仮想基準面のもう一方の一面上の第２の領域へ突出する形態に曲げられている第１の接触部とを有し、
前記第２のバネ部は、前記仮想基準面に対して前記基部から前記第３の方向で前記第２の領域へ突出する形態に曲げられている第２の連結部と、該第２の連結部に連接し前記第１の領域へ突出する形態に曲げられている第２の接触部とを有し、
前記コネクタと前記相手コネクタとを嵌合した状態で、前記インシュレータに保持した前記コンタクトの前記第１の接触部と前記相手コンタクトの前記第１の接触部とが互いに前記第２及び第３の方向で押圧して接触しかつ前記コンタクトの前記第２の接触部に前記相手コンタクトの前記第２の接触部とが互いに前記第２及び第３の方向で押圧して接触するように前記相手コンタクトが所定の姿勢で前記相手インシュレータに保持されていることを特徴とするコネクタ装置。
【請求項５】
請求項４記載のコネクタ装置において、前記第１の接触部の自由端が前記第１の領域へ延びており、前記第２の接触部の自由端が第２の領域へ延びており、前記第１の接触部の曲げ部分の頂部の外面が第１の接点部となっており、前記第２の接触部の曲げ部分の頂部の外面が第２の接点部となっていることを特徴とするコネクタ装置。
【請求項６】
請求項５に記載のコネクタ装置において、前記第１の接触部の自由端及び前記第１の接点部間が相手コンタクトを前記第１の接点部へ誘う第１の誘い部となっており、前記第２の接触部の自由端及び前記第２の接点部間が相手コンタクトを前記第２の接点部へ誘う第２の誘い部となっていることを特徴とするコネクタ装置。
【発明の詳細な説明】
【０００１】
【発明の属する技術分野】
本発明は、相手コンタクトに接離可能に接続するコンタクト、及びコネクタとコネクタに互いに接離可能に接続する相手コネクタとを有するコネクタ装置に属する。
【０００２】
【従来の技術】
従来のコネクタとしては、雌雄ハウジングに、それぞれ接触バンプを相手ハウジングに向けて雌雄フィルムコンタクトを取り付け、雌雄ハウジングを互いに嵌合させた状態で雌雄フィルムコンタクトの接触バンプ同士を当接接触させたバットジョイントコネクタがある（例えば、引用文献１を参照）。
【０００３】
また、導電板からなる平板状の雄機能部と雄機能部に嵌合可能な雌機能部を有し、雌機能部は雄機能部のなす平面と平行に平板状の面接触部を有し押す機能部と面接触部は厚さ方向に導電板の厚さ分だけ位置がずれており、かつ雄機能部と雌機能部との間には、嵌合方向にスリットが形成されており、対向して相互に接触する接続端子がある（例えば、引用文献２を参照）。
【０００４】
さらに、一方の接続端子の凹部に他方の接続端子の凸部が挿し入れられると、凹部の開口入り口部分（凸部の挿入方向先端側）が、凸部の形状に応じて弾性変形して凸部を受け入れ、凸部がさらに凹部の内部に入り込むと、凹部が凸部の形状に合わせて弾性変形して広がり、このときに発生する凹部の反発力でもって、挿し入れられた凸部が凹部によって押される接続端子がある（例えば、特許文献３参照）。
【０００５】
【特許文献１】
特開平７−２９６４８号公報（第１頁、図１）
【０００６】
【特許文献２】
特開平７−２８８１４８号公報（第１頁、図１）
【０００７】
【特許文献３】
特開２００３−４５５４０号公報（第３頁、図１）
【０００８】
【発明が解決しようとする課題】
しかしながら、引用文献１では、上下からの押し付け方式であるので、その押し付け力が反発力を受けるのでロック構造が必要となるという問題がある。
【０００９】
また、引用文献２では、雄機能部と雌機能部との長さ寸法が短く、幅方向の寸法が広いので、バネ定数が高いことから高い接触力となり、対向して相互に接触する接続端子の挿入力が高くなるので、このような接続端子ではインシュレータに多芯数のコンタクトを有するコネクタを構成できないという問題がある。
【００１０】
また、引用文献２の接続端子は、相手コンタクトと接続する際のピッチのずれ、あるいは中心軸のずれなどの板厚方向へのロケーション・エラーを吸収することができないので、基板に実装するようなコネクタを得ることができないという問題がある。
【００１１】
さらに、引用文献３では、実質上の接続端子同士の嵌合を考慮したときに、凸部の部分の距離が長いため、凹部の側壁が後退して後方へ回転してしまうので正しい嵌合ができないという問題がある。
【００１２】
それ故に本発明の課題は、高い接触力を発生できるコンタクト、及びコネクタ装置を提供することにある。
【００１３】
また、本発明の他の課題は、接触に際して高い信頼性が確保できるコンタクト、及びコネクタ装置を提供することにある。
【００１４】
さらに、本発明の他の課題は、部品管理点数を削減や部品管理を簡素化でき、さらに、組立作業ミスを防ぐことができるコンタクト、及びコネクタ装置を提供することにある。
【００１５】
【課題を解決するための手段】
本発明によれば、基部と、該基部から第１の方向で仮想基準面に沿って延びかつ該仮想基準面を基準として該仮想基準面を交差する第２の方向及び該第２の方向とは逆な向きである第３の方向へ変位可能な第１のバネ部と、前記仮想基準面を基準として前記第１の方向を直交しかつ前記仮想基準面に対して平行な第４の方向で、前記第１のバネ部に隣り合って前記基部から前記第１の方向で仮想基準面に沿って延びかつ前記第２の方向及び前記第３の方向へ変位可能な第２のバネ部とを含む導電性のコンタクトにおいて、前記第１のバネ部は、前記仮想基準面に対して前記基部から前記第２の方向で前記仮想基準面の一面上の第１の領域へ突出する形態に曲げられている第１の連結部と、該第１の連結部に連接し前記仮想基準面に対して前記第３の方向で前記仮想基準面のもう一方の一面上の第２の領域へ突出する形態に曲げられている第１の接触部とを有し、前記第２のバネ部は、前記仮想基準面に対して前記基部から前記第３の方向で前記第２の領域へ突出する形態に曲げられている第２の連結部と、該第２の連結部に連接し前記第１の領域へ突出する形態に曲げられている第２の接触部とを有していることを特徴とするコンタクトが得られる。
【００１６】
また、本発明によれば、コネクタと相手コネクタとを相対的に嵌合することによって相互に接続するコネクタ装置であって、前記コネクタは、導電性のコンタクトと、該コンタクトを保持したインシュレータとを有し、前記コンタクトは、基部と、該基部から第１の方向で仮想基準面に沿って延びかつ該仮想基準面を基準として該仮想基準面を交差する第２の方向及び該第２の方向とは逆な向きである第３の方向へ変位可能な第１のバネ部と、前記仮想基準面を基準として前記第１の方向を直交しかつ前記仮想基準面に対して平行な第４の方向で、前記第１のバネ部に隣り合って前記基部から前記第１の方向で仮想基準面に沿って延びかつ前記第２の方向及び前記第３の方向へ変位可能な第２のバネ部と含むコネクタ装置において、前記相手コネクタは、前記コンタクトと同じ形状である相手コンタクトと、該相手コンタクトを保持した相手インシュレータとを有し、前記第１のバネ部は、前記仮想基準面に対して前記基部から前記第２の方向で前記仮想基準面の一面上の第１の領域へ突出する形態に曲げられている第１の連結部と、該第１の連結部に連接し前記仮想基準面に対して前記第３の方向で前記仮想基準面のもう一方の一面上の第２の領域へ突出する形態に曲げられている第１の接触部とを有し、前記第２のバネ部は、前記仮想基準面に対して前記基部から前記第３の方向で前記第２の領域へ突出する形態に曲げられている第２の連結部と、該第２の連結部に連接し前記第１の領域へ突出する形態に曲げられている第２の接触部とを有し、前記コネクタと前記相手コネクタとを嵌合した状態で、前記インシュレータに保持した前記コンタクトの前記第１の接触部と前記相手コンタクトの前記第１の接触部とが互いに前記第２及び第３の方向で押圧して接触しかつ前記コンタクトの前記第２の接触部に前記相手コンタクトの前記第２の接触部とが互いに前記第２及び第３の方向で押圧して接触するように前記相手コンタクトが所定の姿勢で前記相手インシュレータに保持されていることを特徴とするコネクタ装置が得られる。
【００１７】
【発明の実施の形態】
以下、図面を参照して本発明に係るコンタクトの一実施の形態例を説明する。図１及び図２は、一実施の形態例におけるコンタクトを示している。
【００１８】
図１及び図２を参照して、コンタクト１Ａは、平板状の基部１１と、基部１１の一側から第１の方向Ａ（図２を参照）へ延びている第１のバネ部２１と、基部１１の一側から第１の方向Ａへ延びている第２のバネ部３１と、基部１１の一側とは反対側から延びている接続部４１とを有している。
【００１９】
コンタクト１Ａは、導電板をプレスによってコンタクト形状に打ち抜き加工した後に、板厚方向に曲げ加工を施すことによって作ることができる。なお、この実施の形態例における第１のバネ部２１及び第２のバネ部３１は、導電板をプレスによってコンタクト形状に打ち抜く際に帯板形状に打ち抜かれ、帯板形状部分を板厚方向に曲げ加工を施すことによって得られる。
【００２０】
第１のバネ部２１は、図２に示すように、基部１１から第１の方向Ａで仮想基準面Ｆに沿って延びかつ仮想基準面Ｆを基準として仮想基準面Ｆを交差する第２の方向Ｂ及び第２の方向Ｂとは逆な向きである第３の方向Ｃへ変位可能な部分である。
【００２１】
第１のバネ部２１は、仮想基準面Ｆに対して基部１１から第２の方向Ｂで仮想基準面Ｆの一面上における第１の領域Ｆ１へ突出する形態に曲げられている第１の連結部２３と、第１の連結部２３に連接し仮想基準面Ｆに対して第３の方向Ｃで仮想基準面Ｆのもう一方の一面上の第２の領域Ｆ２へ突出する形態に曲げられている第１の接触部２５とを有している。
【００２２】
したがって、図２によって明らかなように、第１のバネ部２１を側面から見ると、全体が略Ｓ字形に曲げられている。なお、この実施の形態例においては、基部１１の一側端Ｐ１から仮想基準面Ｆを交差する部分Ｐ２までの範囲を第１の連結部２３とし、仮想基準面Ｆを交差する部分Ｐ２から第１のバネ部２１の先端までの範囲を第１の接触部２５としている。
【００２３】
第２のバネ部３１は、図２及び図３に示すように、仮想基準面Ｆを基準として第１の方向Ａを直交し仮想基準面Ｆに対して平行な第４の方向Ｄ（図３を参照）で第１のバネ部２１に所定間隔をもって隣り合い、基部１１から第１の方向Ａで仮想基準面Ｆに沿って延びかつ第２の方向Ｂ及び第３の方向Ｃへ変位可能な部分である。
【００２４】
第２のバネ部３１は、仮想基準面Ｆに対して基部１１から第３の方向Ｃで前記第２の領域Ｆ２へ突出する形態に曲げられている第２の連結部３３と、第２の連結部３３に連接し第１の領域Ｆ１へ突出する形態に曲げられている第２の接触部３５とを有している。
【００２５】
さらに、第１の接触部２５の自由端は、第１の領域Ｆ１へ入り込むように延びている。第２の接触部３５の自由端は、第２の領域Ｆ２へ入り込むように延びている。第１の接触部２５は、略円弧状に曲げられた部分であり、その曲げ部分の頂部の外面が第１の接点部２５ａとなっている。同様に、第２の接触部３５は、略円弧状に曲げられた部分であり、その曲げ部分の頂部の外面が第２の接点部３５ａとなっている。
【００２６】
また、第１の接触部２５の自由端及び第１の接点部２５ａ間の部分は、図示しない相手コンタクトを第１の接点部２５ａへ誘う第１の誘い部２５ｂとなっており、第２の接触部３５の自由端及び第２の接点部３５ａ間の部分は、図示しない相手コンタクトを第１の接点部３５ａに誘う第２の誘い部３５ｂとなっている。
【００２７】
したがって、図２によって明らかなように、第２のバネ部３１を側面から見ると、全体が略Ｓ字形に曲げられている。なお、この実施の形態例においては、基部１１の一側端Ｐ１から仮想基準面Ｆを交差する部分Ｐ２までの範囲を第２の連結部３３とし、仮想基準面Ｆを交差する部分Ｐ２から第２のバネ部３１の先端までの範囲を第２の接触部３５としている。
【００２８】
図１及び図２は、コンタクト１Ａに相手コンタクトが接触していない自然状態を示しており、相手コンタクトが第１の接点部２５ａに接触したときには、相手コンタクトによって第１の接触部２５が第３の方向Ｃへ押圧される。このとき、第１のバネ部２１は、反発力によって第２の方向Ｂへバネ荷重が加わっているので相手コンタクトに対して所定の接触力によって接触状態を維持する。
【００２９】
また、同時に相手コンタクトが第２の接点部３５ａに接触したときには、相手コンタクトによって第２の接触部３５が第２の方向Ｂへ押圧される。このとき、第２のバネ部３１は、反発力によって第３の方向Ｃへバネ荷重が加わっているので相手コンタクトに対して所定の接触力によって接触状態を維持する。
【００３０】
なお、相手コンタクトをコンタクト１Ａと同じ形状のものを採用した場合には、コンタクト１Ａの第１の接点部２５ａと相手コンタクトの第１の接点部が接触し、コンタクト１Ａの第１の接触部２５と相手コンタクトの第１の接触部とが第１及び第２の方向Ｂ，Ｃで、互いに押圧している状態で接触する。この際、コンタクト１Ａの第２の接点部３５ａと相手コンタクトの第２の接点部が接触し、コンタクト１Ａの第２の接触部３５と相手コンタクトの第２の接触部とが第１及び第２の方向Ｂ，Ｃで、互いに押圧している状態で接触する。
【００３１】
上述したように、第１のバネ部２１及び第２のバネ部３１は、相手コンタクトと接触したときには、相反するように第２及び第３の方向Ｂ，Ｃへ反発力を発生するので、相手コンタクトとの接触力が高くなる。
【００３２】
また、基部１１には、後述するインシュレータにコンタクト１Ａを保持するために複数の突起部１１ａ，１１ｂが形成されている。突起部１１ａ，１１ｂは、基部１１の第４の方向Ｄ（図３を参照）の両辺から突出している部分である。
【００３３】
以下に、上述したコンタクト１Ａと、同じ形状を呈する相手コンタクトを採用してコンタクト１Ａ及び相手コンタクトを接触させるコネクタ装置の一実施の形態例を説明する。
【００３４】
図４は相手コンタクト１Ｂを示している。図４によって明らかなように、相手コンタクト１Ｂは、コンタクト１Ａと同じ形状を呈しているため、図１に示したコンタクト１Ａに付した符号と同じ符号を付して相手コンタクト１Ｂの説明を省略する。
【００３５】
図５は、一実施の形態例におけるコネクタ装置を示している。コネクタ装置は、コネクタと相手コネクタとからなり、図５は、コネクタと相手コネクタとが嵌合している状態を示している。
【００３６】
図１乃至図３、図５を参照して、コネクタ５１は、図１乃至図３に示したコンタクト１Ａと、コンタクト１Ａを保持している略箱形状のインシュレータ５３とを有している。
【００３７】
インシュレータ５３は、一面に大きな溝部が形成されている嵌合部５３ａを有している。嵌合部５３ａには、コンタクト１Ａの第１及び第２のバネ部２１，３１が位置している。基部１１は、嵌合部５３ａの一部を構成するインシュレータ５３の底壁部５３ｂに形成されている穴（図示せず）に圧入されて突起部１１ａ，１１ｂがインシュレータ５３に係合されている。接続部４１は、インシュレータ５３の外に位置しており、基部１１に対して略直角に曲げられている部分がプリント回路基板のような基板６１に設けられている導電部に半田によって接続されている。即ち、この実施の形態例におけるコネクタ５１は、基板６１上に実装される表面実装タイプとなっている。
【００３８】
さらに、図１乃至図３、図５を参照して、相手コネクタ７１は、図１乃至図３に示したコンタクト１Ａと同じ形状のコンタクト１Ａと、コンタクト１Ａを保持している略箱形状の相手インシュレータ７３を有している。
【００３９】
相手インシュレータ７３は、一面に大きな溝部が形成されている相手嵌合部７３ａを有している。相手嵌合部７３ａには、コンタクト１Ａの第１及び第２のバネ部２１，３１が位置している。基部１１は、相手嵌合部７３ａの一部を構成する相手インシュレータ７３の相手底壁部７３ｂに形成されている穴（図示せず）に圧入されて突起部１１ａ，１１ｂが相手インシュレータ７３に係合されている。接続部４１は、相手インシュレータ７３の外に位置しており、基部１１に対して略直角に曲げられている部分がプリント回路基板のような相手基板８１に設けられている導電部に半田によって接続されている。即ち、この実施の形態例における相手コネクタ７１は、相手基板８１上に実装される表面実装タイプとなっている。
【００４０】
図１、図２、及び図５にて明らかなように、相手コンタクト１Ｂは、図２に示した仮想基準面Ｆでコンタクト１Ａを１８０度の角度で反転させた所定の姿勢の形態で相手インシュレータ７３に保持されている。
【００４１】
ここで、具体例として、相手コネクタ７１を固定側として、コネクタ５１を可動側とした場合には、図２に示した第１の方向Ａでコネクタ５１を移動させることによって、相手嵌合部７３ａの所定位置まで嵌合部５３ａが入り込み嵌合する。
【００４２】
この際、相手コンタクト１Ｂの第２の誘い部２５ａにコンタクト１Ａの第１の誘い部２５ａが誘われ互いに誘導しつつ移動し、嵌合した時に相手コンタクト１Ｂの第１の接触部２５における第１の接点部２５ａと、コンタクト１Ａの第１の接触部２５における第１の接点部２５ａが接触し、同時に、相手コンタクト１Ｂの第２の誘い部３５ａにコンタクト１Ａの第２の誘い部３５ａが誘われ互いに摺動しつつ移動し、嵌合したときに相手コンタクト１Ｂの第２の接点部３５ａとコンタクト１Ａの第２の接点部３５ａが接触する。
【００４３】
上述したように、コネクタ５１と相手コネクタ７１とが嵌合している状態では、コンタクト１Ａの第１の接点部２５ａに相手コンタクト１Ｂの第１の接点部２５ａが接触した状態で、第２及び第３の方向Ｂ，Ｃで互いに押圧されることによって接触し、コンタクト１Ａの第２の接点部３５ａに相手コンタクト１Ｂの第２の接点部３５ａが接触した状態で第２及び第３の方向Ｂ，Ｃで互いに押圧されることによって接触して接触状態を維持する。
【００４４】
なお、相手コンタクト１Ｂとは、コンタクト１Ａと異なる形状であっても弾性を持つ形状であれば所定の接触力が得られる。また、コネクタ装置は、コネクタ５１を基板６１に表面に実装する表面実装タイプ、相手コネクタ７１を相手基板８１の表面に実装する表面実装タイプの構成により説明したが、コネクタ５１及び相手コネクタ７１のいずれか一方が機器にレセプタクル側コネクタとして組み付けられているものに対して、他方をプラグ側コネクタとして使用するようなものであってもよい。
【００４５】
【発明の効果】
以上説明したように、本発明に係るコンタクト、及びコネクタ装置によれば、変位可能な第１及び第２のバネ部を有し、第１のバネ部は、前記基部から第２の方向で仮想基準面の第１の領域へ曲げられている第１の連結部と、第３の方向で仮想基準面の第２の領域へ曲げられている第１の接触部とを有し、第２のバネ部は、基部から第３の方向で第２の領域へ曲げられている第２の連結部と、第１の領域へ曲げられている第２の接触部とを有しているので、相手コンタクトと接触した際に、第１及び第２のバネ部が相反する第２及び第３の方向で反発力を発生することから高い接触力を発生させることができる。
【００４６】
また、本発明に係るコンタクト、及びコネクタ装置によれば、第１のバネ部に大１の接点部を、第２のバネ部に第２の接点部を形成しているので、接触に際して高い信頼性が確保できる。
【００４７】
また、本発明に係るコンタクト、及びコネクタ装置によれば、第１及び第２の誘い部に誘われて摺動しつつ第１及び第２の接点部で接触するので、摺動部分の摩擦によって第１及び第２の接点部に付着した付着物を取り除くようなワイピング効果が得られる。
【００４８】
また、本発明に係るコンタクト、コネクタ装置によれば、同一な形状のコンタクトと相手コンタクトを採用することができるので、部品管理点数を削減や部品管理を簡素化でき、さらに、組立作業ミスを未然に防ぐことができる。
【図面の簡単な説明】
【図１】本発明に係るコンタクトの一実施の形態例を示す斜視図である。
【図２】図１に示したコンタクトの側面図である。
【図３】図１に示したコンタクトの平面図である。
【図４】図１に示したコンタクトと同じ形状の相手コンタクトを示す斜視図である。
【図５】図１に示したコンタクトと図４に示した相手コンタクトを採用したコネクタ装置を嵌合した状態で示す断面図である。
【符号の説明】
１Ａ    コンタクト
１Ｂ    相手コンタクト
１１    基部
１１ａ，１１ｂ    突起部
２１    第１のバネ部
２３    第１の連結部
２５    第１の接触部
２５ａ    第１の接点部
２５ｂ    第１の誘い部
３１    第２のバネ部
３３    第２の連結部
３５    第２の接触部
３５ａ    第２の接点部
３５ｂ    第２の誘い部
４１    接続部
５３    インシュレータ
５３ａ    嵌合部
５３ｂ    底壁部
６１    基板
７１    相手コネクタ
７３    相手インシュレータ
７３ａ    相手嵌合部
７３ｂ    底壁部
８１    相手基板
Ａ    第１の方向
Ｆ    仮想基準面
Ｂ    第２の方向
Ｃ    第３の方向
Ｄ    第４の方向
Ｆ１    第１の領域
Ｆ２    第２の領域
【図１】
2005005013.tif 000003
【図２】
2005005013.tif 000004
【図３】
2005005013.tif 000005
【図４】
2005005013.tif 000006
【図５】
2005005013.tif 000007